(57)【要約】  コンテンツを送出するコンテンツサーバ（１０１）と、コンテンツサーバ（１０１）により送出された前記コンテンツに対する、受信端末（１７０）に至る複数のうちいずれかの通信網（１５１），（１５２）（（１５２ａ）〜（１５２ｃ））の経路を設定するポリシールータ（１０２）と、通信網（１５１），（１５２）の通信状態に応じて適した経路となる通信網（１５１），（１５２）を選択し、ポリシールータ（１０２）に設定させるポリシーマネージャ（１０３）と、を備える。【特許請求の範囲】
【請求項１】
コンテンツを送出するコンテンツ送出手段と、
前記コンテンツ送出手段により送出された前記コンテンツに対する、受信端末に至る複数のうちいずれかの通信網の経路を設定する経路設定手段と、
前記通信網の通信状態に応じて適した経路となる通信網を選択し、前記経路設定手段に設定させる最適経路選択手段と、
を備えたことを特徴とする情報送出装置。
【請求項２】
前記最適経路選択手段は、複数の前記通信網のトラヒック状態、あるいは通信網におけるリンクコンディションの検出に基づいて最適な通信網を選択することを特徴とする請求項１に記載の情報送出装置。
【請求項３】
前記最適経路選択手段は、前記受信端末が検出した通信網のトラヒック状態、あるいは通信網におけるリンクコンディションを示す情報の入力に基づいて最適な通信網を選択することを特徴とする請求項１に記載の情報送出装置。
【請求項４】
複数の前記通信網は、放送網、携帯網、無線ＬＡＮ網、固定網であり、前記経路設定手段は、当該通信網に対する経路を設定することを特徴とする請求項１〜３のいずれか一つに記載の情報送出装置。
【請求項５】
送出側から送出されたコンテンツを複数の通信網を介して受信するために、当該通信網別のインターフェースを有する複数のコンテンツ受信手段と、
前記コンテンツ受信手段の前記インターフェース毎の受信の優先度を設定する優先度設定手段と、
前記優先度設定手段により設定された優先度に基づいて前記コンテンツ受信手段の前記インターフェースを切り替えて前記コンテンツを出力するインターフェース切替制御手段と、
前記インターフェース切替制御手段から出力された前記コンテンツを再生する再生手段と、
を備えたことを特徴とする情報受信装置。
【請求項６】
前記インターフェース切替制御手段によって前記コンテンツ受信手段の前記インターフェースを切り替えた前後において異なる前記インターフェース間のコンテンツの再生を同期させて前記再生手段に当該コンテンツを出力する同期形成手段を備えたことを特徴とする請求項５に記載の情報受信装置。
【請求項７】
前記通信網のトラヒック状態、あるいは通信網におけるリンクコンディションを検出し、当該検出情報を前記コンテンツの送出側に送出する受信状況検出手段を備えたことを特徴とする請求項５または６に記載の情報受信装置。
【請求項８】
コンテンツを送出するコンテンツ送出工程と、
前記コンテンツ送出工程により送出された前記コンテンツに対する、受信端末に至る複数のうちいずれかの通信網の経路を設定する経路設定工程と、
前記通信網の通信状態に応じて適した経路となる通信網を選択し、前記経路設定工程における設定を行わせる最適経路選択工程と、
を含むことを特徴とする情報伝送方法。
【請求項９】
送出側から送出されたコンテンツを複数の通信網に対応した複数のインターフェースを介して受信するコンテンツ受信工程と、
前記コンテンツ受信工程の前記インターフェース毎の受信の優先度を設定する優先度設定工程と、
前記優先度設定工程により設定された優先度に基づいて前記コンテンツ受信工程の前記インターフェースを切り替えて前記コンテンツを出力するインターフェース切替制御工程と、
前記インターフェース切替制御工程によって出力された前記コンテンツを再生する再生工程と、
を含むことを特徴とする情報伝送方法。
【発明の詳細な説明】
【技術分野】
【０００１】
この発明は、送信側からの情報を異なる経路を介して伝送する情報送出装置と情報受信装置に関し、特に、通信状態に応じて経路を切り替えつつ切替前後において継続した受信が行える情報送出装置、情報受信装置および情報伝送方法に関する。
【背景技術】
【０００２】
従来、送信側から送信したい情報は放送波や通信網を介して送信され、受信側の端末装置によって受信する構成となっていた。現在では、テレビやラジオ番組等の情報（コンテンツと称す）が携帯電話等の携帯型の受信装置でも受信できるようになっている（例えば、下記特許文献１参照。）。今後、通信の融合化が進むと、インターネット等の通信網を介して伝送されるコンテンツと、放送波を介して伝送されるコンテンツが同一、あるいは類似することが考えられる。【０００３】
【特許文献１】特開２００３−７８８３０号公報
【発明の開示】
【発明が解決しようとする課題】
【０００４】
しかしながら、従来の技術では、通信網、あるいは放送波のいずれか一方だけを介してコンテンツを伝送する構成であった。従って、コンテンツを放送波により受信していた後に、通信網から受信する際には、放送波の受信を一旦切断してから通信網にアクセスする必要が生じた。通信網からの受信を放送波からの受信に切り替える場合も同様である。【０００５】
具体的には、受信装置が屋外で放送波を受信しながら移動しているとき、通信網としての無線ＬＡＮスポットの圏内に位置したとする。この場合、放送波よりも通信網を介しての受信の方が安定した受信状態であるとする。この場合、通信網を介してコンテンツを受信するためには、放送波からの受信を一旦終了してから新たに通信網からの受信をはじめる必要がある。このように受信するインターフェースを切り替える毎に、コンテンツの受信が切断されるため、コンテンツを安定して受信することができなかった。さらに、放送波および通信網がいずれも同一のコンテンツを伝送していたとき、上述のようにインターフェースの切替を行うと、コンテンツの受信を継続させることができない。【０００６】
この発明は、上述した従来技術による問題点を解消するため、受信状態に応じて情報伝送のネットワークの経路を切り替えて安定してコンテンツを受信できるとともに、切り替えを円滑に行うことができる情報送出装置、情報受信装置および情報伝送方法を提供することを目的とする。
【課題を解決するための手段】
【０００７】
上述した課題を解決し、目的を達成するため、請求項１の発明にかかる情報送出装置は、コンテンツを送出するコンテンツ送出手段と、前記コンテンツ送出手段により送出された前記コンテンツに対する、受信端末に至る複数のうちいずれかの通信網の経路を設定する経路設定手段と、前記通信網の通信状態に応じて適した経路となる通信網を選択し、前記経路設定手段に設定させる最適経路選択手段と、を備えたことを特徴とする。【０００８】
また、請求項２の発明にかかる情報送出装置は、請求項１に記載の発明において、前記最適経路選択手段は、複数の前記通信網のトラヒック状態、あるいは通信網におけるリンクコンディションの検出に基づいて最適な通信網を選択することを特徴とする。【０００９】
また、請求項３の発明にかかる情報送出装置は、請求項１または２に記載の発明において、前記最適経路選択手段は、前記受信端末が検出した通信網のトラヒック状態、あるいは通信網におけるリンクコンディションを示す情報の入力に基づいて最適な通信網を選択することを特徴とする。【００１０】
また、請求項４の発明にかかる情報送出装置は、請求項１〜３のいずれか一つに記載の発明において、複数の前記通信網は、放送網、携帯網、無線ＬＡＮ網、固定網であり、前記経路設定手段は、当該通信網に対する経路を設定することを特徴とする。【００１１】
また、請求項５の発明にかかる情報受信装置は、送出側から送出されたコンテンツを複数の通信網を介して受信するために、当該通信網別のインターフェースを有する複数のコンテンツ受信手段と、前記コンテンツ受信手段の前記インターフェース毎の受信の優先度を設定する優先度設定手段と、前記優先度設定手段により設定された優先度に基づいて前記コンテンツ受信手段の前記インターフェースを切り替えて前記コンテンツを出力するインターフェース切替制御手段と、前記インターフェース切替制御手段から出力された前記コンテンツを再生する再生手段と、を備えたことを特徴とする。【００１２】
また、請求項６の発明にかかる情報受信装置は、請求項５に記載の発明において、前記インターフェース切替制御手段によって前記コンテンツ受信手段の前記インターフェースを切り替えた前後において異なる前記インターフェース間のコンテンツの再生を同期させて前記再生手段に当該コンテンツを出力する同期形成手段を備えたことを特徴とする。【００１３】
また、請求項７の発明にかかる情報受信装置は、請求項５または６に記載の発明において、前記通信網のトラヒック状態、あるいは通信網におけるリンクコンディションを検出し、当該検出情報を前記コンテンツの送出側に送出する受信状況検出手段を備えたことを特徴とする。【００１４】
また、請求項８の発明にかかる情報伝送方法は、コンテンツを送出するコンテンツ送出工程と、前記コンテンツ送出工程により送出された前記コンテンツに対する、受信端末に至る複数のうちいずれかの通信網の経路を設定する経路設定工程と、前記通信網の通信状態に応じて適した経路となる通信網を選択し、前記経路設定工程における設定を行わせる最適経路選択工程と、を含むことを特徴とする。【００１５】
また、請求項９の発明にかかる情報伝送方法は、送出側から送出されたコンテンツを複数の通信網に対応した複数のインターフェースを介して受信するコンテンツ受信工程と、前記コンテンツ受信工程の前記インターフェース毎の受信の優先度を設定する優先度設定工程と、前記優先度設定工程により設定された優先度に基づいて前記コンテンツ受信工程の前記インターフェースを切り替えて前記コンテンツを出力するインターフェース切替制御工程と、前記インターフェース切替制御工程によって出力された前記コンテンツを再生する再生工程と、を含むことを特徴とする。
【発明の効果】
【００１６】
本発明にかかる情報送出装置、情報受信装置および情報伝送方法によれば、受信状態に応じて情報伝送のネットワークの経路を切り替えて安定してコンテンツを受信できるとともに、切り替えを円滑に行うことができるという効果を奏する。
【図面の簡単な説明】
【００１７】
【図１】図１は、本発明の実施の形態にかかる情報送出システムの全体構成を示すブロック図である。
【図２】図２は、受信端末の内部構成を示すブロック図である。
【図３】図３は、送信側の要求により伝送経路のルーティングを行う場合の処理内容を示すシーケンス図である。
【図４】図４は、受信側の要求により伝送経路のルーティングを行う場合の処理内容を示すシーケンス図である。
【符号の説明】
【００１８】
１００  送出側
１０１  コンテンツサーバ
１０２  ポリシールータ
１０３  ポリシーマネージャ
１７０  受信端末
２０１  放送Ｉ／Ｆ
２０２ａ  携帯Ｉ／Ｆ
２０３  受信Ｉ／Ｆ切替制御部
２０４  同期形成部
２０５  再生部
２０６  操作部
２０７  優先度設定部
【発明を実施するための最良の形態】
【００１９】
以下に添付図面を参照して、この発明にかかる情報送出装置、情報受信装置および情報伝送方法の好適な実施の形態を詳細に説明する。【００２０】
（実施の形態）
図１は、本発明の実施の形態にかかる情報送出システムの全体構成を示すブロック図である。コンテンツを送出する送出側１００は、コンテンツ送出手段としてのコンテンツサーバ１０１と、経路設定手段としてのポリシールータ１０２と、最適経路選択手段としてのポリシーマネージャ１０３とによって構成されている。【００２１】
コンテンツサーバ１０１には送出用のコンテンツが格納される。このコンテンツは、ポリシールータ１０２によりネットワークを構成する放送波１５１、あるいは通信網１５２を介してコンテンツの送出の経路が決定（ルーティング）される。図示のように、ポリシールータ１０２は、ネットワークの規模に応じて複数設けることができる。ポリシーマネージャ１０３には、ポリシールータ１０２からトラヒック状況等に関する情報と、受信端末１７０から受信状況等が入力され、これらの入力に基づきポリシールータ１０２に対し、送出するコンテンツの経路を指示する。【００２２】
通信網１５２は、携帯電話の携帯網１５２ａ、無線ＬＡＮ網１５２ｂ、固定網１５２ｃ等からなる。受信端末１７０は、これら放送網１５１、あるいは通信網１５２を介してコンテンツを受信する。以下の説明では、便宜上、コンテンツは放送波１５１あるいは通信網１５２のうち携帯網１５２ａを介して送出される構成として説明する。また、コンテンツＡは、携帯網１５２ａを介して送出されるコンテンツであり、コンテンツＢは、放送波１５１を介して送出されるコンテンツであるとする。【００２３】
図２は、受信端末の内部構成を示すブロック図である。受信端末１７０は、放送Ｉ／Ｆ２０１と、通信Ｉ／Ｆ２０２とを有する。図示の例では、通信Ｉ／Ｆ２０２として携帯網１５２ａと接続する携帯Ｉ／Ｆ２０２ａと、無線ＬＡＮ網１５２ｂと接続するＷＬＡＮ  Ｉ／Ｆ２０２ｂを記載してある。これら放送Ｉ／Ｆ２０１、携帯Ｉ／Ｆ２０２ａ、ＷＬＡＮ  Ｉ／Ｆ２０２ｂは、それぞれ受信した伝送信号を復号したコンテンツと、受信状況の情報（例えば受信感度）を受信Ｉ／Ｆ切替制御部２０３に出力する。【００２４】
受信Ｉ／Ｆ切替制御部２０３は、後述する優先度設定部２０７によって設定された受信の優先度に従って放送Ｉ／Ｆ２０１、携帯Ｉ／Ｆ２０２ａ、ＷＬＡＮ  Ｉ／Ｆ２０２ｂのいずれかを選択してコンテンツを受信する。受信したコンテンツは同期形成部２０４を介して再生部２０５に出力する。再生部２０５は、映像信号および音声信号を含むコンテンツを再生可能とするために不図示の映像表示部と音声出力部を備えている。【００２５】
操作部２０６は、優先度設定部２０７に対してＩ／Ｆ毎の受信優先度を設定する。優先度設定部２０７には、上記の各Ｉ／Ｆ、すなわち、放送Ｉ／Ｆ２０１、携帯Ｉ／Ｆ２０２ａ、ＷＬＡＮ  Ｉ／Ｆ２０２ｂ毎に受信状況に変化があったとき、どのＩ／Ｆを用いた受信を優先させるかの優先度に関する情報が設定される。【００２６】
例えば、放送Ｉ／Ｆ２０１と、携帯Ｉ／Ｆ２０２ａと、ＷＬＡＮ  Ｉ／Ｆ２０２ｂに対してそれぞれ優先度を付与する。また、各Ｉ／Ｆ毎に受信状況の変動があったときに他のＩ／Ｆに切り替える閾値（例えば受信感度別の閾値）を設定しておく。これにより、複数のＩ／Ｆ毎に異なる受信の優先度を付与し、常に安定した受信状況にあるＩ／Ｆを介してコンテンツを受信できるようになる。【００２７】
例えば、放送Ｉ／Ｆ２０１の優先度を高く設定し、携帯Ｉ／Ｆ２０２ａの優先度を低く設定する。これにより、受信端末１７０は、優先度が高い放送Ｉ／Ｆ２０１を介して放送波１５１を受信する。放送波１５１の受信状況が低下したときには、受信感度が所定の閾値を下回ったとき、携帯Ｉ／Ｆ２０２ａに切り替えて携帯網１５２ａを介してコンテンツを受信することができるようになる。これに限らず、放送波１５１の受信状況の低下にかかわらず、携帯網１５２ａの通信圏内に入ったことを検出したときには、放送波１５１の受信から携帯網１５２ａの受信に切り替える構成にもでき、これらは予め設定する優先度や閾値の値により任意に設定できる。【００２８】
また、コンテンツが全ての経路（例えば放送波１５１および通信網１５２）に送信されている場合や、特定の経路を設定した個別送信を行う場合には、受信端末１７０側で設定した優先度により、好ましい経路を利用してコンテンツの受信や通信が行える。一方、送信側でコンテンツの経路が指定される場合、送信側での経路指定を優先させることもできる。例えば、送信側がコンテンツＡの送受信経路を放送波１５１経由と指定したとき、たとえ受信端末１７０において携帯Ｉ／Ｆ２０２ａ側の優先度が高く設定されていたとしても、受信端末１７０は、コンテンツＡを放送波１５１経由で受信することができる。【００２９】
同期形成部２０４は、異なるＩ／Ｆを介して受信したコンテンツが同一の内容であるときに、Ｉ／Ｆの切替前後における再生出力の切断を防ぐための同期処理を行う。送出側１００は、同一の内容のコンテンツをネットワーク上の異なる通信媒体（上述の構成例では放送波１５１と携帯網１５２ａ）から送出する際には、各網からそれぞれ受信端末１７０内部での同期形成に必要な情報（時間情報、例えばタイムスタンプ）を送出している。そして、受信端末１７０の同期形成部２０４は、コンテンツとともに送出側１００から送出された同期情報に基づいて、Ｉ／Ｆを切り替えが発生する場合、切替前の時間情報を記憶し、切替後の受信側のコンテンツを記憶していた時間情報の直後から再生させることにより、切替前後において同一の内容のコンテンツを継続して（シームレスに）受信できるよう制御する。なお、切替前後において各Ｉ／Ｆはコンテンツの内容をメモリ等にバッファしておく。【００３０】
ここで、放送波を用いたコンテンツの伝送処理について説明する。コンテンツは、送出側１００からデジタルの放送波１５１を介して送信される。このデジタル放送の放送波１５１に用いる所定形式の伝送パケットは、この伝送パケットの内部にコンテンツのＩＰパケットをカプセル化した状態で送信する。通信網１５２においてはＩＰパケット化したコンテンツが送信される。コンテンツサーバ１０１は、ＩＰマルチキャストにより同時に複数のコンテンツと、上述した同期情報を送出する。【００３１】
受信端末１７０側の携帯Ｉ／Ｆ２０２ａおよびＷＬＡＮ  Ｉ／Ｆ２０２ｂは、ＩＰパケットを受信してコンテンツを復号する。また、放送Ｉ／Ｆ２０１では、受信した放送波１５１の伝送パケットのカプセル化を解除して得たＩＰパケットに基づいてコンテンツを復号する。【００３２】
次に上記構成による情報伝送システムにおけるコンテンツの伝送処理について説明する。図３は、送信側の要求により伝送経路のルーティングを行う場合の処理内容を示すシーケンス図である。【００３３】
はじめに、コンテンツサーバ１０１は、接続するコンテンツやサービス毎に、ネットワーク（通信網１５２および放送波１５１）に対しての要求条件を作成する（ステップＳ３０１）。例えば、コンテンツＡは携帯網１５２ａ経由、コンテンツＢは放送波１５１経由とする。【００３４】
次に、ポリシーマネージャ１０３は、コンテンツサーバ１０１により作成されたコンテンツ・サービスの要求内容から、ポリシールータ１０２に読み込ませる指示内容であるルーティングポリシーを作成し、作成したルーティングポリシーを各ポリシールータ１０２に配布する（ステップＳ３０２）。【００３５】
次に、ポリシールータ１０２は、受信したルーティングポリシーを受け入れられるかどうかを判断する（ステップＳ３０３）。この判断のために、ポリシールータ１０２は、常に現在のトラヒック、各インターフェースのリンクコンディションなどの状況に関する情報を収集している。そして、ポリシールータ１０２は、ルーティングポリシーの受け入れ可否の判断結果と、収集したポリシールータ１０２の状況に関する情報（トラヒック、リンクコンディション等）をポリシーマネージャ１０３に送出する（ステップＳ３０４）。【００３６】
次に、ポリシーマネージャ１０３は、各ポリシールータ１０２から送信された状況に関する情報を収集し、コンテンツ・サービスの提供側（送信側）からの要求が実現可能か判断する（ステップＳ３０５）。判断の結果、コンテンツ・サービスの要求が実現できる場合には（ステップＳ３０５：Ｙｅｓ）、ステップＳ３０２にて作成したルーティングポリシーを各ポリシールータ１０２に送出し、反映させる（ステップＳ３０６）。【００３７】
一方、ステップＳ３０５における判断の結果、コンテンツ・サービスの要求が実現困難な場合には（ステップＳ３０５：Ｎｏ）、実現可能性が高いルーティングポリシーを再作成し、コンテンツサーバ１０１に対してこの要求内容の変更を依頼する（ステップＳ３２０）。これに対応して、コンテンツサーバ１０１は、ポリシーマネージャ１０３からの情報によって、ネットワークに対する要求内容を変更し、要求条件を作成する（ステップＳ３２１）。例えば、コンテンツＡを携帯網１５２ａ経由、コンテンツＢも携帯網１５２ａ経由に変更する。ステップＳ３０１では、コンテンツＢは放送波１５１経由としたが、携帯網１５２ａ経由に変更し、コンテンツＢの送出帯域も狭めるように変更する。また、必要に応じて複数のルートへの同時送出も可能である。このようにして、変更したネットワークに対する要求条件は、ポリシーマネージャ１０３に渡され、上述したステップＳ３０２以降の処理が再度実行される。【００３８】
ステップＳ３０６により送出されたルーティングポリシーは、ポリシールータ１０２により受信する。ポリシールータ１０２は、受信したルーティングポリシーの内容を実際のルーティングに反映させる（ステップＳ３０７）。そして、ポリシーマネージャ１０３は、ポリシールータ１０２にてルーティングポリシーが反映されたことを確認し（ステップＳ３０８）、コンテンツサーバ１０１に対してコンテンツ・サービスの提供許可情報を送出する（ステップＳ３０９）。【００３９】
コンテンツサーバ１０１は、実際のコンテンツ・サービスのトラヒックを送出する（ステップＳ３１０）。そして、ポリシールータ１０２は、実トラヒックをルーティングポリシーに従ってルーティングする（ステップＳ３１１）。これにより、受信端末１０７は、ポリシールータ１０２によりルーティングされたコンテンツ・サービス等の実トラヒックを受信することができる（ステップＳ３１２）。以上説明した一連の処理により、送出側１００の要求に基づいてネットワーク上のルーティングを切り替えることができる。【００４０】
図４は、受信側の要求により伝送経路のルーティングを行う場合の処理内容を示すシーケンス図である。ポリシールータ１０２、および受信端末１７０は、それぞれトラヒック処理の状況、各インターフェースのリンクコンディション等の情報を常に収集している（ステップＳ４０１ａ，ステップＳ４０１ｂ）。そして、リンク断等が発生した場合には、受信ルートを変更し、そのルートに適したコンテンツ・サービスの送出を依頼する（ステップＳ４０２ａ，ステップＳ４０２ｂ）。【００４１】
ポリシーマネージャ１０３は、ポリシールータ１０２による受信ルートの変更依頼（ステップＳ４０２ａ）、あるいは受信端末１７０による受信ルートの変更依頼（ステップＳ４０２ｂ）が示す情報に基づいて、ルーティングポリシーを作成する。そして、コンテンツサーバ１０１へその内容を伝え、コンテンツ・サービスの送出側に要求内容の変更を依頼する（ステップＳ４０３）。【００４２】
コンテンツサーバ１０１は、ポリシーマネージャ１０３からの変更依頼の情報によってネットワークに対する要求内容を変更し、新たな要求条件を作成する（ステップＳ４０４）。作成した新たな要求条件は、ポリシーマネージャ１０３に送出され、図３のステップＳ３０２以降の処理が実行される。以上説明した一連の処理により、受信側の受信端末１０７の要求に基づいてネットワーク上のルーティングを切り替えることができる。【００４３】
上述した実施の形態では、コンテンツを伝送するネットワークとして放送波１５１と、携帯網１５２ａを例に説明したが、他には、図１記載のように無線ＬＡＮ網１５２ｂや、固定網１５２ｃを用いることもでき、受信端末１７０が有する通信Ｉ／Ｆに対応した網を介してコンテンツを伝送することができる。【００４４】
以上説明した実施の形態によれば、コンテンツの送出側あるいは受信側からの要求により、コンテンツの伝送経路を切り替えることができ、受信端末１７０において切替前後のコンテンツを受信できるようになる。また、複数の異なる（放送波を含む）網を介して送出されるコンテンツの内容が同一内容である場合、網の切替前後においてこのコンテンツを継続してシームレスに受信することができるようになる。これにより、受信端末１７０の移動により受信環境が変化してもコンテンツを安定して視聴できるようになる。【００４５】
なお、本実施の形態で説明した情報伝送方法は、予め用意されたプログラムを送出側１００あるいは受信端末１７０に備えたコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００４６】
以上のように、本発明にかかる情報送出装置、情報受信装置および情報伝送方法は、放送波や通信網を含む各種通信媒体のネットワークを介してコンテンツを受信端末が受信する用途に有用であり、特に、衛星デジタル放送や地上デジタル放送等の放送波、およびインターネット等の通信網を介してコンテンツを送出する送出側装置およびコンテンツを受信する受信機に適している。
【図１】
2007032384.tif 000002
【図２】
2007032384.tif 000003
【図３】
2007032384.tif 000004
【図４】
2007032384.tif 000005
【国際調査報告】
2007032384.tif 000006
2007032384.tif 000007